【手続補正書】
【提出日】平成24年4月23日(2012.4.23)
【手続補正１】
【補正対象書類名】特許請求の範囲
【補正対象項目名】全文
【補正方法】変更
【補正の内容】
【特許請求の範囲】
【請求項１】
制御部と記憶部とを少なくとも備えたサーバ装置、および、制御部を少なくとも備えた複数の端末装置、を通信可能に接続した位置特定システムであって、
上記サーバ装置の上記制御部は、
上記端末装置から送信される利用者の現在位置情報を受信する現在位置情報受信手段と、
上記現在位置情報受信手段により受信された上記現在位置情報の履歴を上記記憶部に格納する現在位置履歴格納手段と、
上記現在位置履歴格納手段により上記記憶部に格納された上記現在位置情報の履歴が示す現在位置の移動状況から、上記複数の上記端末装置のうちの同一の交通機関を利用している利用者の移動グループを判定する移動グループ判定手段と、
を備え、
上記端末装置の上記制御部は、
上記利用者の上記現在位置情報を上記サーバ装置に送信する現在位置情報送信手段と、
を備えたことを特徴とする、位置特定システム。
【請求項２】
請求項１に記載の位置特定システムにおいて、
上記サーバ装置の上記記憶部は、
さらに交通網を規定するネットワークデータを記憶するネットワークデータ記憶手段を備え、
上記移動グループ判定手段は、
上記現在位置情報の上記現在位置が上記ネットワークデータのリンクから所定範囲内にある場合に、同一の上記移動グループと判定することを特徴とする、位置特定システム。
【請求項３】
請求項１または２に記載の位置特定システムにおいて、
上記ネットワークデータは、公共交通機関の交通ネットワークデータであることを特徴とする、位置特定システム。
【請求項４】
請求項２または３に記載の位置特定システムにおいて、
上記端末装置は、
現在位置とともに、加速度、速度、および、進行方向のうち少なくとも１つを検出するセンサ
を更に備え、
上記端末装置の上記制御部は、
上記センサを制御して、上記現在位置とともに、上記加速度、上記速度、および、上記進行方向のうち少なくとも１つを上記現在位置情報として取得する現在位置情報取得手段、
を更に備え、
上記移動グループ判定手段は、
上記現在位置情報の上記現在位置が上記ネットワークデータのリンクから所定範囲内にあり、かつ、上記現在位置情報の上記加速度、上記速度、および、上記進行方向のうち少なくとも１つが同一または所定の誤差範囲内にある場合に、同一の上記移動グループと判定することを特徴とする、位置特定システム。
【請求項５】
請求項２または３に記載の位置特定システムにおいて、
上記サーバ装置の上記制御部は、
上記現在位置履歴格納手段により上記記憶部に格納された上記現在位置情報の履歴に基づく、前回からの上記現在位置の変位により、加速度、速度、および、進行方向のうち少なくとも１つを算出する速度方向算出手段、
を更に備え、
上記移動グループ判定手段は、
上記現在位置情報の上記現在位置が上記ネットワークデータのリンクから所定範囲内にあり、かつ、上記速度方向算出手段により算出された上記加速度、上記速度、および、上記進行方向のうち少なくとも１つが同一または所定の誤差範囲内にある場合に、同一の上記移動グループと判定することを特徴とする、位置特定システム。
【請求項６】
請求項４または５に記載の位置特定システムにおいて、
上記現在位置履歴格納手段は、
上記現在位置情報受信手段により受信された上記現在位置情報の履歴を、時刻情報に対応付けて上記記憶部に格納し、
上記移動グループ判定手段は、
上記現在位置情報の上記現在位置が上記ネットワークデータの上記リンクから上記所定範囲内にある場合に、更に、当該現在位置情報に対応付けられた上記時刻情報の時刻が所定時間内にあることを、同一の上記移動グループと判定するための条件とすることを特徴とする、位置特定システム。
【請求項７】
請求項４から６のいずれか一つに記載の位置特定システムにおいて、
上記移動グループ判定手段は、
更に、上記ネットワークデータに規定された停止位置で上記現在位置が停止したことを、同一の上記移動グループと判定するための条件とすることを特徴とする、位置特定システム。
【請求項８】
請求項１から７のいずれか一つに記載の位置特定システムにおいて、
上記サーバ装置の上記制御部は、
上記移動グループ判定手段により判定された上記移動グループの判定結果を、上記端末装置に送信する判定結果送信手段、
を更に備え、
上記端末装置の上記制御部は、
上記サーバ装置から送信される、上記移動グループの上記判定結果を受信する判定結果受信手段、
を更に備えたことを特徴とする、位置特定システム。
【請求項９】
請求項１から８のいずれか一つに記載の位置特定システムにおいて、
上記サーバ装置の上記記憶部は、
交通機関の時刻表情報を記憶する時刻表情報記憶手段、
を更に備え、
上記サーバ装置の上記制御部は、
上記移動グループ判定手段により判定された上記移動グループに属する少なくとも１つの上記端末装置の上記現在位置情報の上記履歴と、上記時刻表情報記憶手段に記憶された上記時刻表情報とを比較して、上記交通機関および当該交通機関の遅延を判定する遅延判定手段、
を更に備えたことを特徴とする、位置特定システム。
【請求項１０】
請求項９に記載の位置特定システムにおいて、
上記判定結果送信手段は、
上記遅延判定手段により判定された上記交通機関の遅延情報を、上記端末装置に送信することを特徴とする、位置特定システム。
【請求項１１】
請求項９に記載の位置特定システムにおいて、
上記サーバ装置の上記制御部は、
上記端末装置から送信される、少なくとも出発地と目的地を含む経路探索条件を受信する経路探索条件受信手段と、
上記ネットワークデータ記憶手段に記憶された上記ネットワークデータに基づいて、上記経路探索条件受信手段により受信された上記経路探索条件を満たす、上記出発地から上記目的地までの経路の経路情報を、上記遅延判定手段により判定された遅延区間を避けるように算出する経路探索手段と、
上記経路探索手段により算出された上記経路情報を、上記経路探索条件を送信した上記端末装置に送信する経路情報送信手段と、
を更に備え、
上記端末装置の上記制御部は、
上記経路探索条件を上記サーバ装置に送信する経路探索条件送信手段と、
上記サーバ装置から送信される、上記経路情報を受信する経路情報受信手段と、
を更に備えたことを特徴とする、位置特定システム。
【請求項１２】
複数の端末装置に通信可能に接続された、制御部と記憶部とを少なくとも備えたサーバ装置であって、
上記制御部は、
上記端末装置から送信される利用者の現在位置情報を受信する現在位置情報受信手段と、
上記現在位置情報受信手段により受信された上記現在位置情報の履歴を上記記憶部に格納する現在位置履歴格納手段と、
上記現在位置履歴格納手段により上記記憶部に格納された上記現在位置情報の履歴が示す現在位置の移動状況から、上記複数の上記端末装置のうちの同一の交通機関を利用している利用者の移動グループを判定する移動グループ判定手段と、
を備えたことを特徴とする、サーバ装置。
【請求項１３】
表示部を備えた複数の端末装置に通信可能に接続された、制御部と記憶部とを少なくとも備えたサーバ装置であって、
上記制御部は、
上記端末装置の利用者の現在位置情報を取得する現在位置情報取得手段と、
上記現在位置情報取得手段により取得された上記現在位置情報の履歴を上記記憶部に格納する現在位置履歴格納手段と、
上記現在位置履歴格納手段により上記記憶部に格納された上記現在位置情報の履歴が示す現在位置の移動状況から、上記複数の上記端末装置のうちの同一の交通機関を利用している利用者の移動グループを判定する移動グループ判定手段と、
上記移動グループ判定手段により判定された上記移動グループの判定結果を示す表示画面を生成する表示画面生成手段と、
上記表示画面生成手段により生成された上記表示画面を含む制御データを上記端末装置に送信することにより、上記表示部に表示させる表示制御手段と、
を備えたことを特徴とする、サーバ装置。
【請求項１４】
記憶部を少なくとも備えたサーバ装置に通信可能に接続された、制御部を少なくとも備えた端末装置であって、
上記制御部は、
上記利用者の上記現在位置情報を上記サーバ装置に送信する現在位置情報送信手段と、
上記サーバ装置から送信される、上記現在位置情報の履歴が示す現在位置の移動状況から判定された、複数の上記端末装置のうちの同一の交通機関を利用している利用者の移動グループの判定結果を受信する判定結果受信手段と、
を備えたことを特徴とする、端末装置。
【請求項１５】
制御部と記憶部とを少なくとも備えたサーバ装置、および、制御部を少なくとも備えた複数の端末装置、を通信可能に接続した位置特定システムにおいて実行される位置特定方法であって、
上記端末装置の上記制御部において実行される、
上記利用者の上記現在位置情報を上記サーバ装置に送信する現在位置情報送信ステップと、
上記サーバ装置の上記制御部において実行される、
上記端末装置から送信される利用者の現在位置情報を受信する現在位置情報受信ステップと、
上記サーバ装置の上記制御部において実行される、
上記現在位置情報受信ステップにて受信された上記現在位置情報の履歴を上記記憶部に格納する現在位置履歴格納ステップと、
上記サーバ装置の上記制御部において実行される、
上記現在位置履歴格納ステップにて上記記憶部に格納された上記現在位置情報の履歴が示す現在位置の移動状況から、上記複数の上記端末装置のうちの同一の交通機関を利用している利用者の移動グループを判定する移動グループ判定ステップと、
を含むことを特徴とする、位置特定方法。
【請求項１６】
複数の端末装置に通信可能に接続された、制御部と記憶部とを少なくとも備えたサーバ装置において実行される位置特定方法であって、
上記制御部において実行される、
上記端末装置から送信される利用者の現在位置情報を受信する現在位置情報受信ステップと、
上記現在位置情報受信ステップにて受信された上記現在位置情報の履歴を上記記憶部に格納する現在位置履歴格納ステップと、
上記現在位置履歴格納ステップにて上記記憶部に格納された上記現在位置情報の履歴が示す現在位置の移動状況から、上記複数の上記端末装置のうちの同一の交通機関を利用している利用者の移動グループを判定する移動グループ判定ステップと、
を含むことを特徴とする、位置特定方法。
【請求項１７】
表示部を備えた複数の端末装置に通信可能に接続された、制御部と記憶部とを少なくとも備えたサーバ装置において実行される位置特定方法であって、
上記制御部において実行される、
上記端末装置の利用者の現在位置情報を取得する現在位置情報取得ステップと、
上記現在位置情報取得ステップにて取得された上記現在位置情報の履歴を上記記憶部に格納する現在位置履歴格納ステップと、
上記現在位置履歴格納ステップにて上記記憶部に格納された上記現在位置情報の履歴が示す現在位置の移動状況から、上記複数の上記端末装置のうちの同一の交通機関を利用している利用者の移動グループを判定する移動グループ判定ステップと、
上記移動グループ判定ステップにて判定された上記移動グループの判定結果を示す表示画面を生成する表示画面生成ステップと、
上記表示画面生成ステップにて生成された上記表示画面を含む制御データを上記端末装置に送信することにより、上記表示部に表示させる表示制御ステップと、
を含むことを特徴とする、位置特定方法。
【請求項１８】
記憶部を少なくとも備えたサーバ装置に通信可能に接続された、制御部を少なくとも備えた端末装置において実行される位置特定方法であって、
上記制御部において実行される、
上記利用者の上記現在位置情報を上記サーバ装置に送信する現在位置情報送信ステップと、
上記サーバ装置から送信される、上記現在位置情報の履歴が示す現在位置の移動状況から判定された、複数の上記端末装置のうちの同一の交通機関を利用している利用者の移動グループの判定結果を受信する判定結果受信ステップと、
を含むことを特徴とする、位置特定方法。
【請求項１９】
複数の端末装置に通信可能に接続された、制御部と記憶部とを少なくとも備えたサーバ装置に実行させるためのプログラムであって、
上記制御部において、
上記端末装置から送信される利用者の現在位置情報を受信する現在位置情報受信ステップと、
上記現在位置情報受信ステップにて受信された上記現在位置情報の履歴を上記記憶部に格納する現在位置履歴格納ステップと、
上記現在位置履歴格納ステップにて上記記憶部に格納された上記現在位置情報の履歴が示す現在位置の移動状況から、上記複数の上記端末装置のうちの同一の交通機関を利用している利用者の移動グループを判定する移動グループ判定ステップと、
を実行させるためのプログラム。
【請求項２０】
表示部を備えた複数の端末装置に通信可能に接続された、制御部と記憶部とを少なくとも備えたサーバ装置に実行させるためのプログラムであって、
上記制御部において、
上記端末装置の利用者の現在位置情報を取得する現在位置情報取得ステップと、
上記現在位置情報取得ステップにて取得された上記現在位置情報の履歴を上記記憶部に格納する現在位置履歴格納ステップと、
上記現在位置履歴格納ステップにて上記記憶部に格納された上記現在位置情報の履歴が示す現在位置の移動状況から、上記複数の上記端末装置のうちの同一の交通機関を利用している利用者の移動グループを判定する移動グループ判定ステップと、
上記移動グループ判定ステップにて判定された上記移動グループの判定結果を示す表示画面を生成する表示画面生成ステップと、
上記表示画面生成ステップにて生成された上記表示画面を含む制御データを上記端末装置に送信することにより、上記表示部に表示させる表示制御ステップと、
を実行させるためのプログラム。
【請求項２１】
記憶部を少なくとも備えたサーバ装置に通信可能に接続された、制御部を少なくとも備えた端末装置に実行させるためのプログラムであって、
上記制御部において、
上記利用者の上記現在位置情報を上記サーバ装置に送信する現在位置情報送信ステップと、
上記サーバ装置から送信される、上記現在位置情報の履歴が示す現在位置の移動状況から判定された、複数の上記端末装置のうちの同一の交通機関を利用している利用者の移動グループの判定結果を受信する判定結果受信ステップと、
を実行させるためのプログラム。